(57)【特許請求の範囲】
【請求項１】
互いに対向するように配置されており且つフレキシブルな導電体を挟持可能な第１、第２導電部と、
付勢手段とを備えており、
前記第１導電部は、前記導電体に当接可能な第１面と、
その裏側の第２面と、
係止孔又は係止凹部とを有しており、
前記第２導電部は、前記導電体に当接可能な第１面と、
その裏側の第２面と、
槍状の係止突部とを有しており、
前記第１、第２導電部が前記導電体を挟持した状態で、前記係止突部が当該導電体を貫通し、前記係止孔又は係止凹部に挿入されており、
前記付勢手段は、前記導電体を挟持した前記第１、第２導電部を挟持する略Ｃ字状のクランプ部を有しており、前記クランプ部は、前記第１、第２導電部の第２面に弾性的に当接する第１、第２アームを有しているコネクタ。
【請求項２】
互いに対向するように配置されており且つフレキシブルな導電体を挟持可能な第１、第２導電部と、
前記第１、第２導電部が固着された第１、第２ボディと、
付勢手段とを備えており、
前記第１ボディ及び第１導電部の少なくとも一方は、係止孔又は係止凹部を有しており、
前記第２ボディ及び第２導電部の少なくとも一方は、槍状の係止突部を有しており、
前記第１、第２導電部が前記導電体を挟持した状態で、前記係止突部が当該導電体を貫通し、前記係止孔又は係止凹部に挿入されており、
前記第１、第２導電部は、前記導電体に当接可能な第１面と、その裏側の第２面とを有しており、
前記付勢手段は、前記導電体を挟持した前記第１、第２導電部を挟持する略Ｃ字状のクランプ部を有しており、前記クランプ部は、前記第１、第２導電部の第２面に弾性的に当接する第１、第２アームを有しているコネクタ。
【請求項３】
請求項１記載のコネクタにおいて、
前記第１、第２導電部が固着された第１、第２ボディを更に備えており、
前記第１、第２ボディには、前記付勢手段を収容する第１、第２収容凹部が設けられているコネクタ。
【請求項４】
請求項２記載のコネクタにおいて、
前記第１、第２ボディには、前記付勢手段を収容する第１、第２収容凹部が設けられているコネクタ。
【請求項５】
互いに対向するように配置されており且つフレキシブルな導電体を挟持可能な第１、第２導電部と、
付勢手段と、
第１係止手段とを備えており、
前記第１導電部は、前記導電体に当接可能な第１面と、
その裏側の第２面と、
係止孔又は係止凹部とを有しており、
前記第２導電部は、前記導電体に当接可能な第１面と、
その裏側の第２面と、
槍状の係止突部とを有しており、
前記第１、第２導電部が前記導電体を挟持した状態で、前記係止突部が当該導電体を貫通し、前記係止孔又は係止凹部に挿入されており、
前記付勢手段は、前記導電体を挟持した前記第１、第２導電部を挟持する略Ｃ字状のクランプ部を有しており、前記クランプ部は、前記第１、第２導電部の第２面に弾性的に当接する第１、第２アームを有しており、
前記第１係止手段は、前記第１、第２アームが前記第１、第２導電部の第２面に弾性的に当接した状態で当該第１、第２アームを係止可能になっているコネクタ。
【請求項６】
互いに対向するように配置されており且つフレキシブルな導電体を挟持可能な第１、第２導電部と、
前記第１、第２導電部が固着された第１、第２ボディと、
付勢手段と、
第１係止手段とを備えており、
前記第１ボディ及び第１導電部の少なくとも一方は、係止孔又は係止凹部を有しており、
前記第２ボディ及び第２導電部の少なくとも一方は、槍状の係止突部を有しており、
前記第１、第２導電部が前記導電体を挟持した状態で、前記係止突部が当該導電体を貫通し、前記係止孔又は係止凹部に挿入されており、
前記第１、第２導電部は、前記導電体に当接可能な第１面と、その裏側の第２面とを有しており、
前記付勢手段は、前記導電体を挟持した前記第１、第２導電部を挟持する略Ｃ字状のクランプ部を有しており、前記クランプ部は、前記第１、第２導電部の第２面に弾性的に当接する第１、第２アームを有しており、
前記第１係止手段は、前記第１、第２アームが前記第１、第２導電部の第２面に弾性的に当接した状態で当該第１、第２アームを係止可能になっているコネクタ。
【請求項７】
請求項５又は６記載のコネクタにおいて、
前記第１係止手段は、前記第１、第２導電部に設けられ、前記第１、第２アームを係止する第１、第２段差部を有しているコネクタ。
【請求項８】
請求項５〜７の何れかに記載のコネクタにおいて、
前記第１係止手段は、前記第１、第２導電部に設けられた第１、第２突部又は第１、第２孔部と、
前記第１、第２アームに設けられた第１、第２孔部又は第１、第２突部とを有しており、
前記第１、第２突部が前記第１、第２孔部に係止可能になっているコネクタ。
【請求項９】
請求項１記載のコネクタにおいて、
前記第１、第２導電部の少なくとも一方が、ケーブルに接続可能な接続部を更に有しているコネクタ。
【請求項１０】
互いに対向するように配置されており且つフレキシブルな導電体を挟持可能な第１、第２導電部と、
付勢手段と、
開閉可能にヒンジ結合されており且つ内側部分に前記第１、第２導電部が固着された第１、第２ボディとを備えており、
前記第１導電部は、係止孔又は係止凹部を有しており、
前記第２導電部は、槍状の係止突部を有しており、
前記第１、第２導電部が前記導電体を挟持した状態で、前記係止突部が当該導電体を貫通し、前記係止孔又は係止凹部に挿入されており、
前記付勢手段は、前記導電体を挟持した前記第１、第２導電部を挟持する略Ｃ字状のクランプ部を有し、
前記第１、第２導電部の少なくとも一方が、接続部を更に有し、
前記第１ボディは、ヒンジ軸又はヒンジ孔を有し、
前記第２ボディは、ヒンジ孔又はヒンジ軸を有しており、
前記ヒンジ軸が前記ヒンジ孔に嵌合しており、
前記ヒンジ軸は円筒状であり、当該ヒンジ軸及びヒンジ孔を通じてケーブルが挿入され、前記接続部に接続可能となっているコネクタ。
【請求項１１】
請求項２記載のコネクタにおいて、
前記第１、第２導電部の少なくとも一方が、ケーブルに接続可能な接続部を更に有しているコネクタ。
【請求項１２】
互いに対向するように配置されており且つフレキシブルな導電体を挟持可能な第１、第２導電部と、
前記第１、第２導電部が固着された第１、第２ボディと、
付勢手段とを備えており、
前記第１ボディ及び第１導電部の少なくとも一方は、係止孔又は係止凹部を有しており、
前記第２ボディ及び第２導電部の少なくとも一方は、槍状の係止突部を有しており、
前記第１、第２導電部が前記導電体を挟持した状態で、前記係止突部が当該導電体を貫通し、前記係止孔又は係止凹部に挿入されており、
前記付勢手段は、前記導電体を挟持した前記第１、第２導電部を挟持する略Ｃ字状のクランプ部を有し、
前記第１、第２導電部の少なくとも一方が、接続部を有し、
前記第１ボディは、ヒンジ軸又はヒンジ孔を有し、
前記第２ボディは、ヒンジ孔又はヒンジ軸を有しており、
前記ヒンジ軸が前記ヒンジ孔に嵌合しており、
前記ヒンジ軸は円筒状であり、当該ヒンジ軸及びヒンジ孔を通じてケーブルが挿入され、前記接続部に接続可能となっているコネクタ。
【請求項１３】
請求項９〜１２の何れかに記載のコネクタにおいて、
前記第１、第２導電部の少なくとも一方が、ケーブルを保持可能な保持部を更に有しているコネクタ。
【請求項１４】
請求項１〜８の何れかに記載のコネクタにおいて、
前記第１、第２導電部の前記第１面には突起が設けられているコネクタ。
【請求項１５】
請求項１４記載のコネクタにおいて、
前記突起は四角錐であるコネクタ。
【請求項１６】
請求項１〜８の何れかに記載のコネクタにおいて、
複数の前記係止突部が、前記第２導電部の第１面の両外側に配置されており、
複数の前記係止孔又は係止凹部が、前記第１導電部の第１面の両端部に配置されているコネクタ。
【請求項１７】
請求項１〜１６の何れかに記載のコネクタにおいて、
前記係止突部には、かえりが設けられているコネクタ。
【請求項１８】
請求項１記載のコネクタにおいて、
前記第１、第２導電部が固着された第１、第２ボディと、
前記第１、第２導電部が前記導電体を挟持した状態で、前記第１ボディを前記第２ボディに係止させる第２係止手段とを更に備えているコネクタ。
【請求項１９】
請求項２記載のコネクタにおいて、
前記第１、第２導電部が前記導電体を挟持した状態で、前記第１ボディを前記第２ボディに係止させる第２係止手段を更に備えているコネクタ。
【請求項２０】
請求項１８又は１９記載のコネクタにおいて、
前記第２係止手段は、前記第１、第２ボディの何れか一方に設けられた係止爪と、他方に設けられ且つ前記第１、第２導電部が前記導電体を挟持した状態で、前記係止爪を係止する係止孔又は係止凹部とを有しているコネクタ。
【発明の詳細な説明】
【技術分野】
【０００１】
本発明は、導電布等のフレキシブルな導電体に接続可能なコネクタに関する。
【背景技術】
【０００２】
従来のコネクタとしては、開閉可能に連結された第１、第２プレートと、この第１プレートに固着された導電金属板とを備えたものがある。導電金属板には、ロケーティングテープ（フレキシブルな導電体）を貫通し、第２プレートに設けられた複数の孔に挿入される複数の爪部が設けられている（特許文献１参照）。すなわち、導電金属板の爪がロケーティングテープを貫通することにより、導電金属板がロケーティングテープに電気的に接続されるようになっている。
【先行技術文献】
【特許文献】
【０００３】
【特許文献１】特開２００８−１３５２２２号公報
【発明の概要】
【発明が解決しようとする課題】
【０００４】
ところが、前記コネクタは、第１プレートに設けられた係止爪が、第２プレートに設けられた係止孔に係止されることにより、導電金属板の爪がロケーティングテープを貫通し、第２プレートの孔に挿入された状態（すなわち、接続状態）が維持されるようになっている。ロケーティングテープはフレキシブルであるので、ロケーティングテープが捩じられると、係止爪が係止孔から外れ、接続状態が解除される恐れがあった。
【０００５】
本発明は、上記事情に鑑みて創案されたものであって、その目的とするところは、フレキシブルな導電体が捩じられたとしても、当該導電体に対する接続を維持することが可能なコネクタを提供することにある。
【課題を解決するための手段】
【０００６】
上記課題を解決するために、本発明の第１コネクタは、互いに対向するように配置されており且つフレキシブルな導電体を挟持可能な第１、第２導電部と、付勢手段とを備えている。前記第１導電部は、前記導電体に当接可能な第１面と、その裏側の第２面と、係止孔又は係止凹部とを有している。前記第２導電部は、前記導電体に当接可能な第１面と、その裏側の第２面と、槍状の係止突部とを有している。前記第１、第２導電部が前記導電体を挟持した状態で、前記係止突部が当該導電体を貫通し、前記係止孔又は係止凹部に挿入されている。前記付勢手段は、前記導電体を挟持した前記第１、第２導電部を挟持する略Ｃ字状のクランプ部を有している。前記クランプ部は、前記第１、第２導電部の第２面に弾性的に当接する第１、第２アームを有している。
【０００７】
本発明の第２コネクタは、互いに対向するように配置されており且つフレキシブルな導電体を挟持可能な第１、第２導電部と、前記第１、第２導電部が固着された第１、第２ボディと、付勢手段とを備えている。前記第１ボディ及び第１導電部の少なくとも一方は、係止孔又は係止凹部を有している。前記第２ボディ及び第２導電部の少なくとも一方は、槍状の係止突部を有している。前記第１、第２導電部が前記導電体を挟持した状態で、前記係止突部が当該導電体を貫通し、前記係止孔又は係止凹部に挿入されている。前記第１、第２導電部は、前記導電体に当接可能な第１面と、その裏側の第２面とを有している。前記付勢手段は、前記導電体を挟持した前記第１、第２導電部を挟持する略Ｃ字状のクランプ部を有している。前記クランプ部は、前記第１、第２導電部の第２面に弾性的に当接する第１、第２アームを有している。
【０００８】
このような第１、第２コネクタによる場合、第１、第２導電部が導電体を挟持した状態で、前記係止突部が当該導電体を貫通し、前記係止孔又は係止凹部に挿入される。この第１、第２導電部がクランプ部に挟持されているので、導電体が捩じられたとしても、第１、第２導電部が導電体を挟持した状態で維持することが可能になる。しかも、係止突部が導電体を貫通し、前記係止孔又は係止凹部に挿入されているので、本第１、第２コネクタの導電体に対する引っ張り強度も向上させることができる。前記係止突部が前記係止孔又は係止凹部に挿入されるので、導電体が引っ張られることによる前記係止突部の変形を抑止することができる。
【０００９】
前記第１コネクタは、前記第１、第２導電部が固着された第１、第２ボディを更に備えた構成とすることが可能である。この場合、前記第１、第２ボディに、前記付勢手段を収容する第１、第２収容凹部が設けられた構成とすることも可能である。また、前記第２コネクタも、前記第１、第２ボディに前記付勢手段を収容する第１、第２収容凹部が設けられた構成とすることが可能である。
【００１０】
これらの態様の発明による場合、第１、第２ボディの第１、第２収容凹部に付勢手段が収容されているので、付勢手段に対する外部から干渉を防ぐことができる。よって、付勢手段が外部から干渉され、付勢手段の第１、第２導電部に対する挟持が不用意に外れるのを防止することができる。
【００１１】
本発明の別の第１コネクタは、互いに対向するように配置されており且つフレキシブルな導電体を挟持可能な第１、第２導電部と、付勢手段と、第１係止手段とを備えている。前記第１導電部は、前記導電体に当接可能な第１面と、その裏側の第２面と、係止孔又は係止凹部とを有している。前記第２導電部は、前記導電体に当接可能な第１面と、その裏側の第２面と、槍状の係止突部とを有している。前記第１、第２導電部が前記導電体を挟持した状態で、前記係止突部が当該導電体を貫通し、前記係止孔又は係止凹部に挿入されている。前記付勢手段は、前記導電体を挟持した前記第１、第２導電部を挟持する略Ｃ字状のクランプ部を有している。前記クランプ部は、前記第１、第２導電部の第２面に弾性的に当接する第１、第２アームを有している。前記第１係止手段は、前記第１、第２アームが前記第１、第２導電部の第２面に弾性的に当接した状態で当該第１、第２アームを係止可能になっている。
本発明の別の第２コネクタは、互いに対向するように配置されており且つフレキシブルな導電体を挟持可能な第１、第２導電部と、前記第１、第２導電部が固着された第１、第２ボディと、付勢手段と、第１係止手段とを備えている。前記第１ボディ及び第１導電部の少なくとも一方は、係止孔又は係止凹部を有している。前記第２ボディ及び第２導電部の少なくとも一方は、槍状の係止突部を有している。前記第１、第２導電部が前記導電体を挟持した状態で、前記係止突部が当該導電体を貫通し、前記係止孔又は係止凹部に挿入されている。前記第１、第２導電部は、前記導電体に当接可能な第１面と、その裏側の第２面とを有している。前記付勢手段は、前記導電体を挟持した前記第１、第２導電部を挟持する略Ｃ字状のクランプ部を有し、前記クランプ部は、前記第１、第２導電部の第２面に弾性的に当接する第１、第２アームを有している。前記第１係止手段は、前記第１、第２アームが前記第１、第２導電部の第２面に弾性的に当接した状態で当該第１、第２アームを係止可能になっている。
これらのような態様の発明による場合、第１、第２導電部が導電体を挟持した状態で、前記係止突部が当該導電体を貫通し、前記係止孔又は係止凹部に挿入される。この第１、第２導電部がクランプ部に挟持されているので、導電体が捩じられたとしても、第１、第２導電部が導電体を挟持した状態で維持することが可能になる。しかも、係止突部が導電体を貫通し、前記係止孔又は係止凹部に挿入されているので、本第１、第２コネクタの導電体に対する引っ張り強度も向上させることができる。前記係止突部が前記係止孔又は係止凹部に挿入されるので、導電体が引っ張られることによる前記係止突部の変形を抑止することができる。
第１係止手段によりクランプ部の第１、第２アームが第１、第２導電部の第２面に弾性的に当接した状態で係止されるので、クランプ部の第１、第２導電部に対する保持力を更に向上させることができる。その結果、導電体に対する引っ張り強度も更に向上させることができる。
【００１２】
前記第１係止手段は、前記第１、第２導電部に設けられ、前記第１、第２アームを係止する第１、第２段差部を有する構成とすることが可能である。このような態様の発明による場合、第１、第２アームが第１、第２段差部を乗り越えるだけで、当該第１、第２段差部に係止され、位置決め固定されるので、付勢手段の第１、第２導電部に対する取り付け及び取り外しが簡単になる。
【００１３】
また、前記第１係止手段は、前記第１、第２導電部に設けられた第１、第２突部又は第１、第２孔部と、前記第１、第２アームに設けられた第１、第２孔部又は第１、第２突部とを有する構成とすることが可能である。この場合、前記第１、第２突部が前記第１、第２孔部に係止可能になっている。このような態様の発明による場合、前記第１、第２突部が前記第１、第２孔部に係止されるので、クランプ部の第１、第２導電部に対する保持力を更に向上させることができる。
【００１４】
前記第１、第２導電部の少なくとも一方が、ケーブルに接続可能な接続部を更に有する構成とすることが可能である。このような態様の発明による場合、接続部にケーブルを接続することができるので、前記第１、第２コネクタの外部接続が容易になる。
【００１５】
本発明の別の第１コネクタは、互いに対向するように配置されており且つフレキシブルな導電体を挟持可能な第１、第２導電部と、付勢手段と、開閉可能にヒンジ結合されており且つ内側部分に前記第１、第２導電部が固着された第１、第２ボディとを備えている。前記第１導電部は、係止孔又は係止凹部を有している。前記第２導電部は、槍状の係止突部を有している。前記第１、第２導電部が前記導電体を挟持した状態で、前記係止突部が当該導電体を貫通し、前記係止孔又は係止凹部に挿入されている。前記付勢手段は、前記導電体を挟持した前記第１、第２導電部を挟持する略Ｃ字状のクランプ部を有している。前記第１、第２導電部の少なくとも一方が、接続部を更に有している。前記第１ボディは、ヒンジ軸又はヒンジ孔を有している。前記第２ボディは、ヒンジ孔又はヒンジ軸を有している。前記ヒンジ軸が前記ヒンジ孔に嵌合している。前記ヒンジ軸は円筒状である。当該ヒンジ軸及びヒンジ孔を通じてケーブルが挿入され、前記接続部に接続可能となっている。
本発明の別の第２コネクタは、互いに対向するように配置されており且つフレキシブルな導電体を挟持可能な第１、第２導電部と、前記第１、第２導電部が固着された第１、第２ボディと、付勢手段とを備えている。前記第１ボディ及び第１導電部の少なくとも一方は、係止孔又は係止凹部を有している。前記第２ボディ及び第２導電部の少なくとも一方は、槍状の係止突部を有している。前記第１、第２導電部が前記導電体を挟持した状態で、前記係止突部が当該導電体を貫通し、前記係止孔又は係止凹部に挿入されている。前記付勢手段は、前記導電体を挟持した前記第１、第２導電部を挟持する略Ｃ字状のクランプ部を有している。
前記第１、第２導電部の少なくとも一方が、接続部を有している。前記第１ボディは、ヒンジ軸又はヒンジ孔を有している。前記第２ボディは、ヒンジ孔又はヒンジ軸を有している。前記ヒンジ軸が前記ヒンジ孔に嵌合している。前記ヒンジ軸は円筒状である。当該ヒンジ軸及びヒンジ孔を通じてケーブルが挿入され、前記接続部に接続可能となっている。
【００１６】
このような態様の発明による場合、ヒンジ軸及びヒンジ孔を通じて前記ケーブルが挿入され、接続部に接続することができるので、ケーブルの引き回しが容易になる。
【００１７】
前記第１、第２導電部の少なくとも一方が、ケーブルを保持可能な保持部を更に有する構成とすることが可能である。このような態様の発明による場合、保持部によりケーブルが保持されるので、ケーブルの引っ張り強度を向上させることができる。
【００１８】
前記第１、第２導電部の前記第１面には突起が設けられていることが好ましい。このような態様の発明による場合、第１、第２導電板の第１面の突起が導電体に各々接触するので、導電体に対する摩擦抵抗が増大し、導電体に対する引っ張り強度を向上させることができる。また、第１、第２導電板の第１面の突起が導電体に各々弾性的に接触するので、導電体に対する安定した接触抵抗値を得ることができる。よって、第１、第２コネクタの接続安定性の向上を図ることができる。
【００１９】
前記突起は四角錐であることが好ましい。このような態様の発明による場合、突起の表面積が大きくなるので、導電体に対する摩擦抵抗を更に増大させ、導電体に対する引っ張り強度を更に向上させることができる。しかも、突起の表面積が大きくなることにより、更に導電体に対する安定した接触抵抗値を得ることができるので、第１、第２コネクタの接続安定性の向上を図ることができる。
【００２０】
複数の前記係止突部が、前記第２導電部の第１面の両外側に配置された構成とすることが可能である。この場合、複数の前記係止孔又は係止凹部が、前記第１導電部の第１面の両端部に配置されている。
【００２１】
前記係止突部には、かえりが設けられた構成とすることが可能である。このような態様の発明による場合、かえりにより、係止突部が導電体を貫通した状態から抜け難くなる。よって、導電体に対する引っ張り強度を更に向上させることができる。また、かえりが係止孔又は係止凹部に係止される場合には、第１、第２導電部の導電体に対する保持力を更に向上させることができる。
【００２２】
前記第１、第２コネクタは、前記第１、第２導電部が前記導電体を挟持した状態で、前記第１ボディを前記第２ボディに係止させる第２係止手段を更に備えた構成とすることが可能である。例えば、前記第２係止手段は、前記第１、第２ボディの何れか一方に設けられた係止爪と、他方に設けられ且つ前記第１、第２導電部が前記導電体を挟持した状態で、前記係止爪を係止する係止孔又は係止凹部とを有する構成とすることが可能である。これらの発明の態様による場合、前記第２係止手段により、前記第１ボディが前記第２ボディに係止され、前記第１、第２導電部が前記導電体を挟持した状態で維持される。
【図面の簡単な説明】
【００２３】
【図１Ａ】本発明の実施例１に係るコネクタの閉状態の正面、平面及び右側面を表した斜視図である。
【図１Ｂ】前記コネクタの閉状態の背面、平面及び左側面を表した斜視図である。
【図１Ｃ】前記コネクタの閉状態を示す平面図である。
【図１Ｄ】前記コネクタの閉状態を示す底面図である。
【図１Ｅ】前記コネクタの開状態の正面、平面及び右側面を表した斜視図である。
【図２Ａ】前記コネクタの図１Ａ中の２Ａ−２Ａ断面図である。
【図２Ｂ】前記コネクタの図１Ａ中の２Ｂ−２Ｂ断面図である。
【図３Ａ】前記コネクタの第１ボディ及びこれに取り付けられた第１導電部の正面、底面及び左側面を表した斜視図である。
【図３Ｂ】前記コネクタの第２ボディ及びこれに取り付けられた第２導電部の正面、平面及び右側面を表した斜視図である。
【図４】前記コネクタの正面、平面及び右側面を表した分解斜視図である。
【図５Ａ】前記コネクタの第１ボディの背面、平面及び左側面を表した斜視図である。
【図５Ｂ】前記コネクタの第１ボディの背面、底面及び右側面を表した斜視図である。
【図６Ａ】前記コネクタの第２ボディの背面、平面及び左側面を表した斜視図である。
【図６Ｂ】前記コネクタの第２ボディの背面、底面及び右側面を表した斜視図である。
【図７Ａ】前記コネクタの第１導電部の背面、平面及び左側面を表した斜視図である。
【図７Ｂ】前記コネクタの第１導電部の背面、底面及び右側面を表した斜視図である。
【図８Ａ】前記コネクタの第２導電部の背面、平面及び左側面を表した斜視図である。
【図８Ｂ】前記コネクタの第２導電部の背面、底面及び右側面を表した斜視図である。
【図９Ａ】本発明の実施例２に係るコネクタの閉状態の正面、平面及び右側面を表した斜視図である。
【図９Ｂ】前記コネクタの開状態の正面、平面及び右側面を表した斜視図である。
【図１０Ａ】前記コネクタの正面、平面及び右側面を表した分解斜視図である。
【図１０Ｂ】前記コネクタの正面、底面及び左側面を表した分解斜視図である。
【図１１Ａ】前記コネクタの第１ボディ及びこれに取り付けられた第１導電部の正面、底面及び左側面を表した斜視図である。
【図１１Ｂ】前記コネクタの第２ボディ及びこれに取り付けられた第２導電部の正面、平面及び右側面を表した斜視図である。
【発明を実施するための形態】
【００２４】
以下、本発明の実施例１及び２について説明する。
【実施例１】
【００２５】
まず、本発明の実施例１に係るコネクタについて図１Ａ〜図８Ｂを参照しつつ説明する。ここに掲げるコネクタは、図示しないフレキシブルな導電布（導電体）及びケーブルＣに接続可能なコネクタである。このコネクタは、図１Ａ〜図２Ｂに示すように、ボディ１００ａ、１００ｂ（第１、第２ボディ）と、導電部２００ａ、２００ｂ（第１、第２導電部）と、クリップバネ３００（付勢手段）とを備えている。以下、前記コネクタの各部について詳しく説明する。なお、図１Ａ、図２Ａ及び図４中に、本実施例１における前後方向をＤ１、この前後方向Ｄ１に直交する幅方向をＤ２として示す。
【００２６】
ボディ１００ａは、図３Ａ、図４、図５Ａ及び図５Ｂに示すように、絶縁樹脂製の射出成型品である。このボディ１００ａは、略矩形状のブロック１１０ａと、一対のリング状のヒンジ凸部１２０ａとを有している。ブロック１１０ａの中央部には、矩形状の収容凹部１１１ａが設けられている。この収容凹部１１１ａは、ブロック１１０ａを厚み方向に貫通すると共にブロック１１０ａの前後方向Ｄ１の後側が開放されている。収容凹部１１１ａの後端部の幅方向Ｄ２の両壁面には、押圧部１１１ａ１が懸架されている。この押圧部１１１ａ１の上面は、前後方向Ｄ１の後側に下り傾斜している。押圧部１１１ａ１は、導電部２００ａの後述する段差部２４０ａの前後方向Ｄ１の後側に配置される。
【００２７】
ブロック１１０ａの先端部の収容凹部１１１ａの外側部分には、当該ブロック１１０ａを厚み方向に貫通する略矩形状の一対の貫通孔１１２ａが設けられている。ブロック１１０ａの貫通孔１１２ａの外側部分には、当該ブロック１１０ａを厚み方向に貫通する略矩形状の一対の係止スリット１１３ａが設けられている。この係止スリット１１３ａの内側の壁面には、図５Ｂに示すように、凸部１１４ａが各々設けられている。ブロック１１０ａの収容凹部１１１ａ及び貫通孔１１２ａの前側部分には、矩形状の前側スリット１１５ａが設けられている。ブロック１１０ａの貫通孔１１２ａの後側部分には、収容凹部１１１ａに連通する一対のサイド凹部１１６ａが設けられている。更に、ブロック１１０ａの前後方向Ｄ１の後側の両角部には、ブロック１１０ａとボディ１００ｂの後述するヒンジ凸部１２０ｂとの干渉を避けるための一対の切欠き１１７ａが設けられている。
【００２８】
ブロック１１０ａの後端部の切欠き１１７ａの内側部分には、一対のヒンジ凸部１２０ａが設けられている。ヒンジ凸部１２０ａの外側部の中心部にはヒンジ孔１２１ａが、当該ヒンジ凸部１２０ａの内側部の中心部には挿入孔１２２ａが設けられている。ヒンジ孔１２１ａと挿入孔１２２ａは、互いに軸心が一致し且つ連通している。このヒンジ孔１２１ａ及び挿入孔１２２ａによりヒンジ凸部１２０ａが幅方向Ｄ２に貫通されている。挿入孔１２２ａの内径は、ヒンジ孔１２１ａの内径よりも小さく、ケーブルＣの外径よりも若干大きい。すなわち、図１Ｅに示すようにケーブルＣがヒンジ孔１２１ａ及び挿入孔１２２ａに挿入可能になっている。
【００２９】
ボディ１００ｂは、図３Ｂ、図４、図６Ａ及び図６Ｂに示すように、絶縁樹脂製の射出成型品である。このボディ１００ｂは、略矩形状のブロック１１０ｂと、一対のリング状のヒンジ凸部１２０ｂとを有している。ブロック１１０ｂの中央部には、矩形状の収容凹部１１１ｂが設けられている。この収容凹部１１１ｂは、ブロック１１０ｂを厚み方向に貫通すると共にブロック１１０ｂの前後方向Ｄ１の後側が開放されている。収容凹部１１１ｂの後端部の幅方向Ｄ２の両壁面には、押圧部１１１ｂ１が懸架されている。この押圧部１１１ｂ１の下面は、前後方向Ｄ１の後側に上り傾斜している。押圧部１１１ｂ１は、導電部２００ｂの後述する段差部２４０ｂの前後方向Ｄ１の後側に配置される。
【００３０】
ブロック１１０ｂの先端部の収容凹部１１１ｂの外側部分には、当該ブロック１１０ｂを厚み方向に貫通する略矩形状の一対の前側係止孔１１２ｂが設けられている。この前側係止孔１１２ｂの内側の壁面には、図４及び図６Ａに示すように、前側凸部１１３ｂが各々設けられている。ブロック１１０ｂの収容凹部１１１ｂ及び前側係止孔１１２ｂの前側部分には、矩形状の前側スリット１１４ｂが設けられている。前側スリット１１４ｂの両端は前側係止孔１１２ｂに各々連通している。ブロック１１０ｂの中間部の収容凹部１１１ｂの外側部分には、当該収容凹部１１１ｂに連通する一対のサイド凹部１１５ｂが設けられている。更に、ブロック１１０ｂのサイド凹部１１５ｂの外側部分には、一対の略矩形状の後側係止孔１１６ｂが設けられている。この後側係止孔１１６ｂの内側の壁面には、図３Ｂに示すように、後側凸部１１７ｂが各々設けられている。ブロック１１０ｂの後側係止孔１１６ｂの後側部分には、ブロック１１０ｂとボディ１００ａのヒンジ凸部１２０ａとの干渉を避けるための一対の窪み１１８ｂが設けられている。
【００３１】
ブロック１１０ｂの窪み１１８ｂの外側部分には、一対のヒンジ凸部１２０ｂが設けられている。ヒンジ凸部１２０ｂの内面間の距離は、ヒンジ凸部１２０ａの外面間の距離と略同じになっている。ヒンジ凸部１２０ｂの内面には、円筒状のヒンジ軸１２１ｂが突設されている。このヒンジ軸１２１ｂがヒンジ凸部１２０ａのヒンジ孔１２１ａに嵌合し、これによりボディ１００ａ、１００ｂが開閉可能にヒンジ結合されている。図１Ａ及び図１Ｂにボディ１００ａ、１００ｂの閉状態（すなわち、本コネクタの閉状態）が示されており、図１Ｅにボディ１００ａ、１００ｂの開状態（すなわち、本コネクタの開状態）が示されている。また、ヒンジ凸部１２０ｂには、当該ヒンジ凸部１２０ｂ及びヒンジ軸１２１ｂを幅方向Ｄ２に貫通する挿入孔１２２ｂが設けられている。挿入孔１２２ｂの内径は、ケーブルＣの外径よりも若干大きい。すなわち、図１Ｅに示すようにケーブルＣが挿入孔１２２ｂに挿入可能になっている。
【００３２】
導電部２００ａは、図３Ａ、図４、図７Ａ及び図７Ｂに示すように、導電性を有する金属板で構成されている。この導電部２００ａは、メインプレート２１０ａと、サイド係止片２２０ａ、前側プレート２３０ａと、段差部２４０ａ（第１係止手段の第１段差部）と、一対の接続部２５０ａと、一対の保持部２６０ａとを有している。メインプレート２１０ａは略矩形状の板であって、第１面２１１ａ（第１導電部の第１面）と、その裏側の第２面２１２ａ（第１導電部の第２面）とを有している。第１面２１１ａは導電布に接触する部位である。第１面２１１ａの中間部には、複数の四角錐状の突起２１３ａが千鳥状に配設されている。メインプレート２１０ａの幅方向Ｄ２の両端部（第１面２１１ａの両端部）には、係止孔２１４ａが２つずつ前後方向Ｄ１に並べて設けられている。このメインプレート２１０ａは、図３Ａに示すように、ボディ１００ａの内側面（ボディ１００ｂ対向面）上に収容凹部１１１ａの前後方向Ｄ１の前側部分及び一対の貫通孔１１２ａを覆うように配置されている。メインプレート２１０ａの第２面２１２ａの中央部は、収容凹部１１１ａから外部に露出しており、メインプレート２１０ａの第２面２１２ａの幅方向Ｄ２の両端部は貫通孔１１２ａから外部に露出している。メインプレート２１０ａの係止孔２１４ａは貫通孔１１２ａに連通している。
【００３３】
メインプレート２１０ａの幅方向Ｄ２の両端には、一対のサイド係止片２２０ａが設けられている。サイド係止片２２０ａは、メインプレート２１０ａに対して略直角に折り曲げられ且つ上側に延びている。サイド係止片２２０ａの中央部には、略矩形状の係止孔２２１ａが設けられている。サイド係止片２２０ａがボディ１００ａの係止スリット１１３ａに挿入される一方、ボディ１００ａの凸部１１４ａがサイド係止片２２０ａの係止孔２２１ａに係止される。これにより、導電部２００ａがボディ１００ａの内側部に固着されている。
【００３４】
メインプレート２１０ａの先端には、前側プレート２３０ａが設けられている。前側プレート２３０ａは、メインプレート２１０ａに対して略直角に折り曲げられ、サイド係止片２２０ａと同方向に延びている。この前側プレート２３０ａはボディ１００ａの前側スリット１１５ａに挿入されている。
【００３５】
メインプレート２１０ａの後端には段差部２４０ａが連設されている。段差部２４０ａは、傾斜プレート２４１ａと、アームプレート２４２ａとを有している。傾斜プレート２４１ａは、メインプレート２１０ａに対して折り曲げられ、前後方向Ｄ１の後方に上り傾斜している（図２Ａ参照）。傾斜プレート２４１ａは、その幅方向Ｄ２の両端部がボディ１００ａのサイド凹部１１６ａに収容され、中央部がボディ１００ａの収容凹部１１１ａから外部に露出している。傾斜プレート２４１ａの中央部には、突片２４１ａ１（第１突部）が設けられている。アームプレート２４２ａは、傾斜プレート２４１ａの後端中央部に連設され且つ前後方向Ｄ１の後方に下り傾斜した傾斜プレート２４１ａよりも幅狭な矩形状の板である。アームプレート２４２ａも、収容凹部１１１ａから外部に露出している。
【００３６】
段差部２４０ａの後端部の両端には、円筒状に湾曲した板である一対の接続部２５０ａが連設されている。接続部２５０ａの外側には、円筒状に湾曲した板である保持部２６０ａが連設されている。接続部２５０ａ及び保持部２６０ａは、その軸心がボディ１００ａのヒンジ凸部１２０ａのヒンジ孔１２１ａと挿入孔１２２ａの軸心と略一致するように当該ヒンジ凸部１２０ａの間に配置されている。換言すると、接続部２５０ａ、保持部２６０ａ、ヒンジ孔１２１ａと挿入孔１２２ａは、幅方向Ｄ２に沿って配置され、互いに通じている。接続部２５０ａの内径はケーブルＣの芯線の外径よりも若干大きくなっている。保持部２６０ａの内径はケーブルＣの外径よりも若干大きくなっている。すなわち、図１Ｅに示すように、保持部２６０ａにケーブルＣが挿入可能であり、接続部２５０ａにケーブルＣの芯線が挿入可能になっている。
【００３７】
導電部２００ｂは、図３Ｂ、図４、図８Ａ及び図８Ｂに示すように、導電性を有する金属板で構成されている。この導電部２００ｂは、メインプレート２１０ｂと、前側プレート２２０ｂと、一対のサイドプレート２３０ｂと、段差部２４０ｂ（第１係止手段の第２段差部）と、一対のサイド係止片２５０ｂとを有している。メインプレート２１０ｂは略矩形状の板であって、第１面２１１ｂ（第２導電部の第１面）と、その裏側の第２面２１２ｂ（第２導電部の第２面）とを有している。第１面２１１ｂは導電布に接触する部位である。第１面２１１ｂには、複数の四角錐状の突起２１３ｂが千鳥状に配設されている。このメインプレート２１０ｂは、図３Ｂに示すように、ボディ１００ｂの内側面（ボディ１００ａ対向面）上に収容凹部１１１ｂの前後方向Ｄ１の前側部分を覆うように配置されている。メインプレート２１０ｂの第１面２１１ｂと、メインプレート２１０ａの第１面２１１ａとは互いに対向しており、第１面２１１ｂ、２１１ａ間に導電布が挟持可能となっている。また、メインプレート２１０ｂの第２面２１２ｂの中央部は、収容凹部１１１ｂから外部に露出している。
【００３８】
メインプレート２１０ｂの先端には、前側プレート２２０ｂが設けられている。前側プレート２２０ｂは、メインプレート２１０ｂに対して略直角に折り曲げられ且つ下側に延びている。この前側プレート２２０ｂはボディ１００ｂの前側スリット１１４ｂに挿入されている。前側プレート２２０ｂの両端には、一対のサイドプレート２３０ｂが連設されている。このサイドプレート２３０ｂは、前側プレート２２０ｂに対して略直角に折り曲げられ、前後方向Ｄ１の後方に延びている。サイドプレート２３０ｂには、導電部２００ａ側（上側）に延びる槍状の係止突部２３１ｂが２つずつ前後方向Ｄ１に並べて設けられている。係止突部２３１ｂはメインプレート２１０ｂの第１面２１１ｂの幅方向Ｄ２の両外側に配置され、導電部２００ａの係止孔２１４ａ及びボディ１００ａの貫通孔１１２ａに各々挿入可能となっている（図２Ｂ参照）。サイドプレート２３０ｂは、図３Ｂに示すようにボディ１００ｂの前側係止孔１１２ｂに各々挿入される一方、ボディ１００ｂの前側凸部１１３ｂがサイドプレート２３０ｂの係止突部２３１ｂの間の部分（係止部２３２ｂ）に各々係止される。
【００３９】
メインプレート２１０ｂの後端には段差部２４０ｂが連設されている。段差部２４０ｂは、傾斜プレート２４１ｂと、水平プレート２４２ｂとを有している。傾斜プレート２４１ｂは、メインプレート２１０ｂに対して折り曲げられ、前後方向Ｄ１の後方に下り傾斜している（図２Ａ参照）。傾斜プレート２４１ｂの中央部には、突片２４１ｂ１（第２突部）が設けられている。水平プレート２４２ｂは、傾斜プレート２４１ｂの後端に連設され且つ前後方向Ｄ１の後方に延びる矩形状の板である。傾斜プレート２４１ｂ及び水平プレート２４２ｂは、その幅方向Ｄ２の両端部がボディ１００ｂのサイド凹部１１５ｂに収容され、中央部がボディ１００ｂの収容凹部１１１ｂから外部に露出している。
【００４０】
水平プレート２４２ｂの両端には、一対のサイド係止片２５０ｂが連設されている。サイド係止片２５０ｂは、水平プレート２４２ｂに対して略直角に折り曲げられ且つ且つ下側に延びている。サイド係止片２５０ｂの中央部には、略矩形状の係止孔２５１ｂが各々設けられている。サイド係止片２５０ｂが、図３Ｂに示すように、ボディ１００ｂの後側係止孔１１６ｂに各々挿入される一方、ボディ１００ｂの後側凸部１１７ｂがサイド係止片２５０ｂの係止孔２５１ｂに各々係止される。サイドプレート２３０ｂ、サイド係止片２２０ａが前側係止孔１１２ｂ、後側係止孔１１６ｂに係止されることにより、導電部２００ｂがボディ１００ｂの内側部に固着されている。
【００４１】
クリップバネ３００（付勢手段のクランプ部）は、図１Ａ〜図１Ｄ、図２Ａ及び図４に示すように、略Ｃ字状の導電性を有する金属板である。このクリップバネ３００は、第１、第２アーム３１０、３２０と、中間部３３０とを有している。中間部３３０は略矩形状の板部である。第１、第２アーム３１０、３２０は、基端部と、傾斜部と、先端部とを有する板部である。第１アーム３１０の先端から中間部３３０の後端面までの前後方向Ｄ１の距離はボディ１００ａの収容凹部１１１ａの前後方向Ｄ１の長さ寸法より小さく、第２アーム３２０の先端から中間部３３０の後端面までの前後方向Ｄ１の距離はボディ１００ｂの収容凹部１１１ｂの前後方向Ｄ１の長さ寸法より小さくなっている。また、第１、第２アーム３１０、３２０及び中間部３３０の幅方向Ｄ２の寸法が、ボディ１００ａ、１００ｂの収容凹部１１１ａ、１１１ｂの幅方向Ｄ２の寸法より小さくなっている。すなわち、第１、第２アーム３１０、３２０及び中間部３３０が、後述する係止状態で収容凹部１１１ａ、１１１ｂに収容可能となっている。
【００４２】
第１、第２アーム３１０、３２０の基端部は、中間部３３０の上端に連設された板部であって、半球状の操作凸部３１２、３２２が設けられている。この操作凸部３１２、３２２が操作されることにより、クリップバネ３００が弾性変形し、第１、第２アーム３１０、３２０が開くようになっている。第１、第２アーム３１０、３２０の傾斜部は、前記基端部に連設され且つ互いに近づく方向に傾斜した板部であって、矩形状の孔部３１１、３２１（付勢手段の第１、第２孔部）が設けられている。
【００４３】
第１、第２アーム３１０、３２０の先端部は、前記傾斜部に連設された板部であって、互いに離れる方向に湾曲している。第１、第２アーム３１０、３２０の先端部の頂部間の距離は、導電部２００ａのメインプレート２１０ａの厚み寸法と導電部２００ｂのメインプレート２１０ｂの厚み寸法と導電布の厚み寸法との和よりも小さくなっている。導電部２００ａのメインプレート２１０ａと導電部２００ｂのメインプレート２１０ｂのとの間に導電布が挟持された状態で、第１、第２アーム３１０、３２０が収容凹部１１１ａ、１１１ｂに収容されると、第１、第２アーム３１０、３２０が押圧部１１１ａ１、１１１ｂ１及び段差部２４０ａ、２４０ｂを乗り越え、メインプレート２１０ａ、２１０ｂの第２面２１２ａ、２１２ｂに弾性的に当接する。これにより、導電部２００ａ、２００ｂがクリップバネ３００に弾性的に挟持される。この状態（係止状態）で、第１、第２アーム３１０、３２０の前記傾斜部が導電部２００ａ、２００ｂの段差部２４０ａ、２４０ｂに係止されると共に、段差部２４０ａ、２４０ｂの突片２４１ａ１、２４１ｂ１が第１、第２アーム３１０、３２０の孔部３１１、３２１に係止される。
【００４４】
以下、上述した構成のコネクタ（クリップバネ３００の取り付け工程を除く。）の組み立て工程について詳しく説明する。まず、周知の射出成型法により作成されたボディ１００ａを用意すると共に、周知のプレス成型法により作成された導電部２００ａを用意する。その後、導電部２００ａのサイド係止片２２０ａをボディ１００ａの係止スリット１１３ａに各々挿入すると共に、導電部２００ａの前側プレート２３０ａをボディ１００ａの前側スリット１１５ａに挿入する。すると、係止スリット１１３ａ内の凸部１１４ａがサイド係止片２２０ａの係止孔２２１ａに各々係止される。このとき、導電部２００ａのメインプレート２１０ａがボディ１００ａの内側面（ボディ１００ｂ対向面）上に収容凹部１１１ａの前側部分及び貫通孔１１２ａを覆うように配置され、導電部２００ａの傾斜プレート２４１ａの両端部がボディ１００ａのサイド凹部１１６ａに各々収容される。また、導電部２００ａの接続部２５０ａ及び保持部２６０ａがボディ１００ａのヒンジ凸部１２０ａの間に配置される。
【００４５】
その一方で、周知の射出成型法により作成されたボディ１００ｂを用意すると共に、周知のプレス成型法により作成された導電部２００ｂを用意する。その後、導電部２００ｂの前側プレート２２０ｂをボディ１００ｂの前側スリット１１４ｂに挿入し、導電部２００ｂのサイドプレート２３０ｂをボディ１００ｂの前側係止孔１１２ｂに各々挿入し、導電部２００ｂのサイド係止片２５０ｂをボディ１００ｂの後側係止孔１１６ｂに各々挿入する。すると、前側係止孔１１２ｂ内の前側凸部１１３ｂがサイドプレート２３０ｂの係止部２３２ｂに各々係止されると共に、後側係止孔１１６ｂ内の後側凸部１１７ｂがサイド係止片２５０ｂの係止孔２５１ｂに各々係止される。このとき、メインプレート２１０ｂがボディ１００ｂの内側面上に収容凹部１１１ｂの前側部分を覆うように配置され、傾斜プレート２４１ｂ及び水平プレート２４２ｂ（段差部２４０ｂ）の両端部がボディ１００ｂのサイド凹部１１５ｂに収容される。
【００４６】
その後、ボディ１００ｂのヒンジ軸１２１ｂをボディ１００ａのヒンジ孔１２１ａに各々嵌合させる。これにより、ボディ１００ａ、１００ｂが開閉可能にヒンジ結合される。
【００４７】
その後、ボディ１００ａ、１００ｂを開状態とする。その後、ボディ１００ｂの挿入孔１２２ｂ、ボディ１００ａのヒンジ孔１２１ａと挿入孔１２２ａ及び導電部２００ａの一方の保持部２６０ａにケーブルＣを挿入し、導電部２００ａの接続部２５０ａの少なくとも一方にケーブルＣの芯線を挿入する。その後、保持部２６０ａ及び接続部２５０ａをかしめる。これにより、ケーブルＣが保持部２６０ａに保持され、芯線が接続部２５０ａに保持され且つ電気接続される。その後、芯線と接続部２５０ａとを半田接続しても良い。
【００４８】
以下、本コネクタに導電布を接続する手順について説明すると共に、クリップバネ３００の取り付け手順についても説明する。まず、開状態のボディ１００ａ、１００ｂの間に導電布を挿入する。その後、ボディ１００ａ、１００ｂを閉じる。すると、導電部２００ａのメインプレート２１０ａと導電部２００ｂのメインプレート２１０ｂとの間で導電布が挟まれる。このとき、導電部２００ｂの係止突部２３１ｂが、導電布を貫通し、導電部２００ａの係止孔２１４ａ及びボディ１００ａの貫通孔１１２ａに各々挿入される。
【００４９】
その後、ボディ１００ａ、１００ｂの収容凹部１１１ａ、１１１ｂにクリップバネ３００の第１、第２アーム３１０、３２０を挿入する。すると、第１、第２アーム３１０、３２０が収容凹部１１１ａ、１１１ｂ内の押圧部１１１ａ１、１１１ｂ１に押圧され、互いに離れる方向に弾性変形する。第１、第２アーム３１０、３２０が押圧部１１１ａ１、１１１ｂ１及び導電部２００ａ、２００ｂの段差部２４０ａ、２４０ｂを乗り越えると、第１、第２アーム３１０、３２０の先端が導電部２００ａ、２００ｂのメインプレート２１０ａ、２１０ｂの第２面２１２ａ、２１２ｂに弾性的に当接する。このとき、第１、第２アーム３１０、３２０が導電部２００ａ、２００ｂの段差部２４０ａ、２４０ｂに係止されると共に、段差部２４０ａ、２４０ｂの突片２４１ａ１、２４１ｂ１が第１、第２アーム３１０、３２０の孔部３１１、３２１に係止される。これにより、クリップバネ３００が導電部２００ａ、２００ｂに取り付けられ、導電布を挟持した導電部２００ａ、２００ｂを弾性的に挟持する。
【００５０】
クリップバネ３００を取り外すときには、操作凸部３１２、３２２を押圧し、第１、第２アーム３１０、３２０を開くように弾性変形させる。これにより、第１、第２アーム３１０、３２０と段差部２４０ａ、２４０ｂとの係止が解除されると共に、段差部２４０ａ、２４０ｂの突片２４１ａ１、２４１ｂ１と第１、第２アーム３１０、３２０の孔部３１１、３２１との係止が解除される。その後、クリップバネ３００をボディ１００ａ、１００ｂの収容凹部１１１ａ、１１１ｂから引き抜く。
【００５１】
その後、ボディ１００ａ、１００ｂを開く。すると、導電部２００ｂの係止突部２３１ｂが、導電部２００ａの係止孔２１４ａ、ボディ１００ａの貫通孔１１２ａ及び導電布から各々抜ける。これにより、導電布を導電部２００ａのメインプレート２１０ａと導電部２００ｂのメインプレート２１０ｂとの間から引き抜くことができる。
【００５２】
以上のようなコネクタによる場合、導電部２００ａのメインプレート２１０ａと導電部２００ｂのメインプレート２１０ｂとが導電布を挟持した状態で、導電部２００ｂの係止突部２３１ｂが、導電布を貫通し、導電部２００ａの係止孔２１４ａ及びボディ１００ａの貫通孔１１２ａに各々挿入されるようになっている。この導電部２００ａ、２００ｂがクリップバネ３００に挟持されているので、導電布が捩じられたとしても、導電部２００ａ、２００ｂが導電布を挟持した状態を維持することができる。
【００５３】
しかも、係止突部２３１ｂが導電布を貫通し、導電部２００ａの係止孔２１４ａに挿入されているので、本コネクタの導電布に対する引っ張り強度を向上させることができる。係止突部２３１ｂが導電部２００ａの係止孔２１４ａに挿入されるので、導電布が引っ張られることによる係止突部２３１ｂの変形を抑止することができる。また、導電部２００ａ、２００ｂの第１面２１１ａ、２１１ｂの突起２１３ａ、２１３ｂが導電布に弾性的に接触するようになっているので、導電部２００ａ、２００ｂの第１面２１１ａ、２１１ｂの導電布に対する接触面積を大きくすることができる。よって、導電部２００ａ、２００ｂの導電布に対する摩擦抵抗が増大し、この点でも本コネクタの導電布に対する引っ張り強度を向上させることができる。更に、導電部２００ａ、２００ｂの複数の四角錐状の突起２１３ａ、２１３ｂが、導電布に弾性的に接触することにより、導電布に対する安定した接触抵抗値を得ることができるので、本コネクタの接続安定性の向上を図ることができる。
【００５４】
また、クリップバネ３００がボディ１００ａ、１００ｂの収容凹部１１１ａ、１１１ｂに収容されているので、クリップバネ３００がボディ１００ａ、１００ｂの外部から干渉されるのを防ぐことができる。よって、クリップバネ３００が外部から干渉され、クリップバネ３００の導電部２００ａ、２００ｂに対する挟持が不用意に外れるのを防止することができる。
【００５５】
また、導電部２００ａと導電部２００ｂとが導電布を挟持し、導電部２００ｂの係止突部２３１ｂが導電布を貫通し、導電部２００ａの係止孔２１４ａ及びボディ１００ａの貫通孔１１２ａに各々挿入されるだけであるので、クリップバネ３００を取り外し、ボディ１００ａ、１００ｂを開くだけで、本コネクタと導電布との接続を簡単に解除することができる。よって、本コネクタは、導電布に対する接続位置を簡単に変更することが可能になるので、設計自由度の向上を図ることができる。また、クリップバネ３００は、導電部２００ａ、２００ｂの段差部２４０ａ、２４０ｂを乗り越えるだけで、当該段差部２４０ａ、２４０ｂに係止され、位置決め固定されるので、クリップバネ３００の導電部２００ａ、２００ｂに対する取り付け及び取り外しが簡単になる。
【実施例２】
【００５６】
次に、本発明の実施例２に係るコネクタについて図９Ａ〜図１１Ｂを参照しつつ説明する。ここに掲げるコネクタは、図示しないフレキシブルな導電布（導電体）及びケーブルＣに接続可能なコネクタである。このコネクタは、図９Ａ及び図９Ｂに示すように、ボディ４００ａ、４００ｂ（第１、第２ボディ）と、導電部５００ａ、５００ｂ（第１、第２導電部）と、クリップバネ６００（付勢手段）とを備えている。以下、前記コネクタの各部について詳しく説明する。なお、図９Ａ、図１０Ａ及び図１０Ｂ中に、本実施例２における前後方向をＤ１、この前後方向Ｄ１に直交する幅方向をＤ２として示す。
【００５７】
ボディ４００ａは、図９Ａ〜１１Ａに示すように、絶縁樹脂製の射出成型品である。このボディ４００ａは、略矩形状のブロック４１０ａと、一対のリング状のヒンジ凸部４２０ａと、一対の係止部４３０ａとを有している。ブロック４１０ａの中央部には、矩形状の収容凹部４１１ａが設けられている。この収容凹部４１１ａは、ブロック４１０ａを厚み方向に貫通すると共にブロック４１０ａの前後方向Ｄ１の後側が開放されている。収容凹部４１１ａの後端部の幅方向Ｄ２の両壁面には、押圧部４１１ａ１が懸架されている。この押圧部４１１ａ１の上面は、前後方向Ｄ１の後側に下り傾斜している。押圧部４１１ａ１は、導電部５００ａの後述する段差部５４０ａの前後方向Ｄ１の後側に配置される。
【００５８】
ブロック４１０ａの先端部の下面には、図１０Ｂに示すように、略矩形状の取付凹部４１２ａが設けられている。ブロック４１０ａの収容凹部４１１ａの前後方向Ｄ１の前側部分には、取付凹部４１２ａの底面からブロック４１０ａの上面にかけて貫通する略矩形状のスリット４１３ａが設けられている。また、ブロック４１０ａのスリット４１３ａの前側部分には、スリット４１３ａに直交し且つ連通する略矩形状の横孔４１４ａが設けられている。ブロック４１０ａのスリット４１３ａの外側部分には、円柱状の挿入穴４１５ａが２つずつ幅方向Ｄ２に並べて設けられている。ブロック４１０ａの取付凹部４１２ａの幅方向Ｄ２の両端部の後側部分には、一対の係止スリット４１６ａが設けられている。係止スリット４１６ａの前後方向Ｄ１の前側の壁面には、図示しない凸部が各々設けられている。ブロック４１０ａの収容凹部４１１ａの幅方向Ｄ２の両壁部には、収容凹部４１１ａに連通する一対のサイド凹部４１７ａが設けられている。更に、ブロック４１０ａの前後方向Ｄ１の後側の両角部には、ブロック４１０ａとボディ４００ｂの後述するヒンジ凸部４２０ｂとの干渉を避けるための一対の切欠き４１８ａが設けられている。
【００５９】
ブロック４１０ａの後端部の切欠き４１８ａの内側部分には、一対のヒンジ凸部４２０ａが設けられている。ヒンジ凸部４２０ａの構成は、実施例１のヒンジ凸部１２０ａと略同じ構成となっている。図１０Ａ〜１１Ａ中の４２１ａはヒンジ孔、４２２ａは挿入孔である。よって、重複する説明は省略する。ヒンジ凸部４２０ａの前後方向Ｄ１の前側には、略矩形状の凸部である係止部４３０ａ（第２係止手段）が連設されている。この係止部４３０ａの外面には係止爪４３１ａが設けられている。
【００６０】
ボディ４００ｂは、図９Ａ〜１０Ｂ及び図１１Ｂに示すように、絶縁樹脂製の射出成型品である。このボディ４００ｂは、略矩形状のブロック４１０ｂと、一対のリング状のヒンジ凸部４２０ｂと、一対の係止部４３０ｂとを有している。ブロック４１０ｂの中央部には、矩形状の収容凹部４１１ｂが設けられている。この収容凹部４１１ｂは、ブロック４１０ｂを厚み方向に貫通すると共にブロック４１０ｂの前後方向Ｄ１の後側が開放されている。収容凹部４１１ｂの後端部の幅方向Ｄ２の両壁面には、押圧部４１１ｂ１が懸架されている。この押圧部４１１ｂ１の下面は、前後方向Ｄ１の後側に上り傾斜している。押圧部４１１ｂ１は、導電部５００ｂの後述する段差部５４０ｂの前後方向Ｄ１の後側に配置される。
【００６１】
ブロック４１０ｂの収容凹部４１１ｂの前後方向Ｄ１の前側部分には、当該ブロック４１０ｂを厚み方向に貫通する略矩形状の係止スリット４１２ｂが設けられている。この係止スリット４１２ｂの中央部の前後方向Ｄ１の後側の壁面には、図示しない凸部が設けられている。ブロック４１０ｂの収容凹部４１１ｂの幅方向Ｄ２の両壁部には、収容凹部４１１ｂに連通する一対のサイド凹部４１３ｂが設けられている。このサイド凹部４１３ｂは、前後方向Ｄ１の後方に下る段差部を有した形状となっている。
【００６２】
ブロック４１０ｂの前後方向Ｄ１の後側の両角部には、一対のヒンジ凸部４２０ｂが設けられている。このブロック４１０ｂのヒンジ凸部４２０ｂの内側には、ブロック４１０ｂとボディ４００ａのヒンジ凸部４２０ａとの干渉を避けるための一対の窪み４１４ｂが設けられている。
【００６３】
ヒンジ凸部４２０ｂは、実施例１のヒンジ凸部１２０ｂと略同じ構成となっている。図１０Ａ、図１０Ｂ及び図１１Ｂ中の４２１ｂはヒンジ軸、４２２ｂは挿入孔である。よって、重複する説明は省略する。ヒンジ軸４２１ｂがヒンジ凸部４２０ａのヒンジ孔４２１ａに嵌合し、これによりボディ４００ａ、４００ｂが開閉可能にヒンジ結合されている。図９Ａにボディ４００ａ、４００ｂの閉状態（すなわち、本コネクタの閉状態）が示されており、図９Ｂにボディ４００ａ、４００ｂの開状態（すなわち、本コネクタの開状態）が示されている。ヒンジ凸部４２０ｂの前後方向Ｄ１の前側には、略矩形状の凸部である係止部４３０ｂ（第２係止手段）が連設されている。係止部４３０ｂの内面間の距離は、係止部４３０ａの外面間の距離よりも若干小さくなっている。係止部４３０ｂには、当該係止部４３０ｂを幅方向Ｄ２に貫通する係止孔４３１ｂが設けられている。前記閉状態において、係止部４３０ａの係止爪４３１ａが係止孔４３１ｂに係止可能になっている。
【００６４】
導電部５００ａは、図１０Ａ〜図１１Ｂに示すように、導電性を有する金属板で構成されている。この導電部５００ａは、メインプレート５１０ａと、一対のサイド係止片５２０ａと、前側係止片５３０ａと、段差部５４０ａ（第１係止手段の第１段差部）と、一対の接続部５５０ａと、一対の保持部５６０ａとを有している。メインプレート５１０ａは略矩形状の板であって、第１面５１１ａ（第１導電部の第１面）と、その裏側の第２面５１２ａ（第１導電部の第２面）とを有している。第１面５１１ａは導電布に接触する部位である。第１面５１１ａの中間部には、複数の四角錐状の突起５１３ａが千鳥状に配設されている。このメインプレート５１０ａは、図１１Ａに示すように、ボディ４００ａの取付凹部４１２ａに収容され、収容凹部４１１ａの前後方向Ｄ１の前側部分及び挿入穴４１５ａを覆っている。メインプレート５１０ａの幅方向Ｄ２の両端部（第１面５１１ａの両端部）には、係止孔５１４ａが２つずつ幅方向Ｄ２に並べて設けられている。この係止孔５１４ａは挿入穴４１５ａに各々連通している。メインプレート５１０ａの第２面５１２ａの中央部は、収容凹部４１１ａから外部に露出している。
【００６５】
メインプレート５１０ａの先端の中央部には前側係止片５３０ａが、メインプレート５１０ａの後端の中央部には段差部５４０ａが設けられている。メインプレート５１０ａの後端の両端部には、一対のサイド係止片５２０ａが設けられている。前側係止片５３０ａはメインプレート５１０ａに対して略直角に折り曲げられた略Ｌ字状の部材である。この前側係止片５３０ａはボディ４００ａのスリット４１３ａに挿入され、当該前側係止片５３０ａの先端部が横孔４１４ａに係止されている。サイド係止片５２０ａは、メインプレート５１０ａに対して略直角に折り曲げられ且つ上側に延びている。サイド係止片５２０ａには、略矩形状の係止孔が設けられている。サイド係止片５２０ａがボディ４００ａの係止スリット４１６ａに挿入される一方、ボディ４００ａの係止スリット４１６ａ内の凸部がサイド係止片５２０ａの係止孔に係止される。このように前側係止片５３０ａ、サイド係止片５２０ａが、ボディ４００ａの横孔４１４ａ、係止スリット４１６ａに各々係止されることにより、導電部５００ａがボディ４００ａの内側部に固着されている。
【００６６】
段差部５４０ａは、実施例１の段差部２４０ａと略同じ構成である。図９Ｂ〜図１１Ａ中の５４１ａは傾斜プレート、５４１ａ１は突片（第１突部）、５４２ａはアームプレートである。よって、重複する説明は省略する。傾斜プレート５４１ａは、幅方向Ｄ２の両端部がボディ４００ａのサイド凹部４１７ａに収容され、中央部がボディ４００ａの収容凹部４１１ａから外部に露出している。アームプレート５４２ａも、収容凹部４１１ａから外部に露出している。
【００６７】
接続部５５０ａは、実施例１の接続部２５０ａと略同じ構成である。保持部５６０ａは実施例１の保持部２６０ａと略同じ構成である。したがって、重複する説明は省略する。
【００６８】
導電部５００ｂは、図９Ｂ〜図１０Ｂ及び図１１Ｂに示すように、導電性を有する金属板で構成されている。この導電部５００ｂは、メインプレート５１０ｂと、前側係止片５２０ｂと、一対のサイドプレート５３０ｂと、段差部５４０ｂ（第１係止手段の第２段差部）とを有している。メインプレート５１０ｂは略矩形状の板であって、第１面５１１ｂ（第２導電部の第１面）と、その裏側の第２面５１２ｂ（第２導電部の第２面）とを有している。第１面５１１ｂは導電布に接触する部位である。第１面５１１ｂには、複数の四角錐状の突起５１３ｂが千鳥状に配設されている。このメインプレート５１０ｂは、図１１Ｂに示すように、幅方向Ｄ２の両端部がボディ４００ｂのサイド凹部４１３ｂに収容され、収容凹部４１１ｂの前後方向Ｄ１の前側部分を覆うように配置されている。メインプレート５１０ｂの第１面５１１ｂと、メインプレート５１０ａの第１面５１１ａとは互いに対向しており、第１面５１１ｂ、５１１ａ間に導電布が挟持可能となっている。また、メインプレート５１０ｂの第２面５１２ｂの中央部は、収容凹部４１１ｂから外部に露出している。
【００６９】
メインプレート５１０ｂの先端の中央部には前側係止片５２０ｂが設けられている。前側係止片５２０ｂは、メインプレート５１０ｂに対して略直角に折り曲げられ且つ下側に延びている。前側係止片５２０ｂには、略矩形状の係止孔が設けられている。前側係止片５２０ｂがボディ４００ｂの係止スリット４１２ｂに挿入される一方、ボディ４００ｂの係止スリット４１２ｂ内の凸部が前側係止片５２０ｂの係止孔に係止される。メインプレート５１０ｂの先端の両端には、一対のサイドプレート５３０ｂが連設されている。このサイドプレート５３０ｂは、メインプレート５１０ｂに対して略直角に折り曲げられ、幅方向Ｄ２に延びている。サイドプレート５３０ｂの両端には一対の圧入片が設けられている。この圧入片の先端の間の距離は、係止スリット４１２ｂの幅方向Ｄ２の幅寸法よりも若干大きくなっている。すなわち、サイドプレート５３０ｂが前側係止片５２０ｂと共に、係止スリット４１２ｂに挿入され、前記圧入片が係止スリット４１２ｂの幅方向Ｄ２の両内壁面に係止される。このように前側係止片５２０ｂ及びサイドプレート５３０ｂが係止スリット４１２ｂに係止されることにより、導電部５００ｂがボディ４００ｂの内側部に固着されている。
【００７０】
サイドプレート５３０ｂには、導電部５００ａ側（上側）に延びる槍状の係止突部５３１ｂが２つずつ幅方向Ｄ２に並べて設けられている。係止突部５３１ｂはメインプレート５１０ｂの第１面５１１ｂの幅方向Ｄ２の両外側に配置され、導電部５００ａの係止孔５１４ａ及びボディ４００ａの挿入穴４１５ａに各々挿入可能となっている。
【００７１】
段差部５４０ｂは実施例１の段差部２４０ｂと略同じ構成となっている。図１０Ａ、図１０Ｂ及び図１１Ｂ中の５４１ｂは傾斜プレート、５４１ｂ１は突片（第２突部）、５４２ｂは水平プレートである。よって、重複する説明は省略する。傾斜プレート５４１ｂ及び水平プレート５４２ｂは、その幅方向Ｄ２の両端部がメインプレート５１０ｂの両端部と共にボディ４００ｂのサイド凹部４１３ｂに収容され、中央部がボディ４００ｂの収容凹部４１１ｂから外部に露出している。
【００７２】
クリップバネ６００（付勢手段のクランプ部）は、図１０Ａ及び図１０Ｂに示すように、略Ｃ字状の導電性を有する金属板である。このクリップバネ６００は、第１、第２アーム６１０、６２０と、中間部６３０とを有している。中間部６３０は、略円弧状に湾曲した板部である。第１、第２アーム６１０、６２０は、操作凸部３１２、３２２を有していない点で実施例１の第１、第２アーム３１０、３２０と相違する以外、第１、第２アーム３１０、３２０と略同じ構成となっている。図１０Ａ及び図１０Ｂ中の６１１、６２１は孔部（付勢手段の第１、第２孔部）である。
【００７３】
以下、上述した構成のコネクタ（クリップバネ６００の取り付け工程を除く。）の組み立て工程について詳しく説明する。まず、周知の射出成型法により作成されたボディ４００ａを用意すると共に、周知のプレス成型法により作成された導電部５００ａを用意する。その後、導電部５００ａの前側係止片５３０ａをボディ４００ａのスリット４１３ａに挿入し、当該前側係止片５３０ａの先端部を横孔４１４ａに係止させる。これと共に、導電部５００ａのサイド係止片５２０ａをボディ４００ａの係止スリット４１６ａに各々挿入する。すると、ボディ４００ａの係止スリット４１６ａ内の凸部がサイド係止片５２０ａの係止孔に各々係止される。このとき、導電部５００ａのメインプレート５１０ａがボディ４００ａの取付凹部４１２ａに収容されると共に、導電部５００ａの傾斜プレート５４１ａの両端部がボディ４００ａのサイド凹部４１７ａに収容される。また、導電部５００ａの接続部５５０ａ及び保持部５６０ａがボディ４００ａのヒンジ凸部４２０ａの間に配置される。
【００７４】
その一方で、周知の射出成型法により作成されたボディ４００ｂを用意すると共に、周知のプレス成型法により作成された導電部５００ｂを用意する。その後、導電部５００ｂの前側係止片５２０ｂ及びサイドプレート５３０ｂをボディ４００ｂの係止スリット４１２ｂに圧入する。すると、ボディ４００ｂの係止スリット４１２ｂ内の凸部が前側係止片５２０ｂの係止孔に係止され、サイドプレート５３０ｂの圧入片が係止スリット４１２ｂの両内壁面に係止される。このとき、メインプレート５１０ｂ及び段差部５４０ｂの両端部がボディ４００ｂのサイド凹部４１３ｂに収容される。
【００７５】
その後、ボディ４００ｂのヒンジ軸４２１ｂをボディ４００ａのヒンジ孔４２１ａに各々嵌合させる。これにより、ボディ４００ａ、４００ｂが開閉可能にヒンジ結合される。その後、ボディ４００ａ、４００ｂを開状態とし、実施例１と同様に、ケーブルＣの芯線を接続部５５０ａに電気接続すると共に、ケーブルＣを保持部５６０ａに保持させる。
【００７６】
以下、本コネクタに導電布を接続する手順について説明すると共に、クリップバネ６００の取り付け手順についても説明する。まず、開状態のボディ４００ａ、４００ｂの間に導電布を挿入する。その後、ボディ４００ａ、４００ｂを閉じる。すると、導電部５００ａのメインプレート５１０ａと導電部５００ｂのメインプレート５１０ｂとの間で導電布が挟まれる。このとき、導電部５００ｂの係止突部５３１ｂが、導電布を貫通し、導電部５００ａの係止孔５１４ａ及びボディ４００ａの挿入穴４１５ａに各々挿入される。これと共に、係止部４３０ａの係止爪４３１ａが係止部４３０ｂの係止孔４３１ｂに係止され、閉状態が仮固定される。
【００７７】
その後、ボディ４００ａ、４００ｂの収容凹部４１１ａ、４１１ｂにクリップバネ６００の第１、第２アーム６１０、６２０を挿入する。すると、第１、第２アーム６１０、６２０が収容凹部４１１ａ、４１１ｂ内の押圧部４１１ａ１、４１１ｂ１に押圧され、互いに離れる方向に弾性変形する。第１、第２アーム６１０、６２０が押圧部４１１ａ１、４１１ｂ１及び導電部５００ａ、５００ｂの段差部５４０ａ、５４０ｂを乗り越えると、第１、第２アーム６１０、６２０の先端部が導電部５００ａ、５００ｂのメインプレート５１０ａ、５１０ｂの第２面５１２ａ、５１２ｂに弾性的に当接する。このとき、第１、第２アーム６１０、６２０が導電部５００ａ、５００ｂの段差部５４０ａ、５４０ｂに係止されると共に、段差部５４０ａ、５４０ｂの突片５４１ａ１、５４１ｂ１が第１、第２アーム６１０、６２０の孔部６１１、６２１に係止される。これにより、クリップバネ６００が導電部５００ａ、５００ｂに取り付けられ、導電布を挟持した導電部５００ａ、５００ｂを弾性的に挟持する。
【００７８】
クリップバネ６００を取り外すときには、第１、第２アーム６１０、６２０を開くように弾性変形させる。これにより、第１、第２アーム６１０、６２０と段差部５４０ａ、５４０ｂとの係止が解除されると共に、段差部５４０ａ、５４０ｂの突片５４１ａ１、５４１ｂ１と第１、第２アーム６１０、６２０の孔部６１１、６２１との係止が解除される。その後、クリップバネ６００をボディ４００ａ、４００ｂの収容凹部４１１ａ、４１１ｂから引き抜く。
【００７９】
その後、ボディ４００ａ、４００ｂを開く。すると、導電部５００ｂの係止突部５３１ｂが、導電部５００ａの係止孔５１４ａ、ボディ４００ａの挿入穴４１５ａ及び導電布から各々抜ける。これと共に、係止部４３０ａの係止爪４３１ａと、係止部４３０ｂの係止孔４３１ｂとの係止が解除される。これにより、導電布を導電部５００ａのメインプレート５１０ａと導電部５００ｂのメインプレート５１０ｂとの間から引き抜くことができる。
【００８０】
以上のようなコネクタによる場合、実施例１のコネクタと同様の効果を得ることができる。しかも、係止部４３０ａ、４３０ｂがヒンジ凸部１２０ａ、１２０ｂの近傍に設けられているため、係止部４３０ａ、４３０ｂによる上記仮固定が誤って解除され難いというメリットを奏する。
【００８１】
なお、本発明に係るコネクタは、上記実施例１及び２に限定されるものではなく、特許請求の範囲の記載の範囲において任意に設計変更することが可能である。以下、本コネクタの設計変形例について詳しく説明する。
【００８２】
上記実施例１及び２では、導電部２００ａ、２００ｂ、５００ａ、５００ｂは、導電性を有する金属板で構成されているとしたが、導電性を有する素材で構成され、互いに対向するように配置され且つ導電布等のフレキシブルな導電体を挟持可能である限り任意に設計変更することが可能である。例えば、第１、第２導電部は鋳造法により製造された導電金属を用いることができるし、樹脂体の外面に導電性を有する金属等を蒸着した部材を用いることも可能である。
【００８３】
上記実施例１及び２では、導電部２００ａ、５００ａのメインプレート２１０ａ、５１０ａに係止孔２１４ａ、５１４ａが、導電部２００ｂ、５００ｂのサイドプレート２３０ｂ、５３０ｂに係止突部２３１ｂ、５３１ｂが設けられているとしたが、これに限定されるものではない。係止孔は第１導電部及び第１ボディの少なくとも一方の任意の箇所に設けることが可能であり、槍状の係止突部は第２導電部及び第２ボディの少なくとも一方の前記係止孔に挿入可能な箇所に設けることが可能である。また、前記係止孔は係止凹部とすることが可能である。
【００８４】
更に、係止突部には、かえりを設けることが可能である。この場合、前記係止突部及びかえりが導電布等のフレキシブルな導電体を貫通することで、前記かえりが導電体からの抜けを防止する役割を果たす。よって、係止凸部が導電体から抜け難くなるので、本コネクタの導電体に対する引っ張り強度を更に向上させることができる。また、前記かえりが前記係止孔又は係止凹部に係止される構成とすることも可能である。この場合、かえりが前記係止孔又は係止凹部に係止されることにより、前記第１、第２導電部が前記導電体を挟持した状態で維持されるので、本コネクタの導電体に対する引っ張り強度を更に向上させることができる。
【００８５】
上記実施例１及び２では、導電部２００ａ、２００ｂ、５００ａ、５００ｂの第１面２１１ａ、２１１ｂ、５１１ａ、５１１ｂには、四角錐状の突起２１３ａ、２１３ｂ、５１４ａ、５１４ｂが設けられているとしたが、これに限定されるものではない。例えば、第１、第２導電部が導電体に面接触するだけで、電気的導通を図れる場合には、突起を省略することが可能である。また、突起の形状としては、四角錐だけに限定されるものではなく、三角錐、おろし金のような切り上げ片等の様々な凸形状とすることが可能である。
【００８６】
上記実施例１及び２では、導電部２００ａ、５００ａが接続部２５０ａ、５５０ａを有するとしたが、これに限定されるものではない。接続部については、第１、第２導電部の少なくとも一方に設けられていれば良く、ケーブルに接続可能な部位である限りその形状を任意に設計変更することが可能である。上記実施例１及び２では、導電部２００ａ、５００ａが保持部２６０ａ、５６０ａを有するとしたが、これに限定されるものではない。保持部については、第１、第２導電部の少なくとも一方に設けられていれば良く、ケーブルを保持可能な部位である限りその形状を任意に設計変更することが可能である。なお、本発明に係るコネクタがケーブルに接続されない場合には、接続部は省略可能である。また、本発明に係るコネクタがケーブルに接続されない場合、又は接続部及びその他の部材がケーブルに強度を持って固定される場合には、保持部を省略することが可能である。
【００８７】
上記実施例１及び２では、クリップバネ３００、６００は略Ｃ字状の導電板であるとしたが、導電体を挟持した第１、第２導電部を挟持する略Ｃ字状のクランプ部を有している限り任意に設計変更することが可能である。クリップバネ３００、６００は導電性を有している必要はなく、樹脂製の略Ｃ字状のクランプ部を有する構成とすることが可能である。また、クリップバネ３００、６００は、導電部２００ａ、２００ｂ、５００ａ、５００ｂを直接的に挟持するとしたが、間接的に挟持する構成とすることが可能である。例えば、クリップバネ３００、６００がボディ１００ａ、１００ｂ、４００ａ、４００ｂを挟持することで、導電部２００ａ、２００ｂ、５００ａ、５００ｂを挟持する構成とすることが可能である。
【００８８】
上記実施例１及び２では、第１係止手段は、第１、第２アーム３１０、３２０、６１０、６２０が係止可能な導電部２００ａ、２００ｂ、５００ａ、５００ｂの段差部２４０ａ、２４０ｂ、５４０ａ、５４０ｂと、段差部２４０ａ、２４０ｂ、５４０ａ、５４０ｂの突片２４１ａ１、２４１ｂ１、５４１ａ１、５４１ｂ１と、突片２４１ａ１、２４１ｂ１、５４１ａ１、５４１ｂ１が係止される第１、第２アーム３１０、３２０、６１０、６２０の孔部３１１、３２１、６１１、６２１とを有するとしたが、これに限定されるものではない。例えば、第１係止手段は、段差部のみとすることが可能である。また、第１係止手段は、第１、第２導電部に設けられた第１、第２突部又は第１、第２孔部と、第１、第２アームに設けられた第１、第２孔部又は第１、第２突部とを有し、前記第１、第２突部が前記第１、第２孔部に係止可能になっている構成とすることが可能である。また、前記係止手段は、第１、第２導電部に設けられ、第１、第２アームを係止可能な凹部とすることも可能である。更に、第１、第２ボディに付勢手段を係止する第１係止手段を設けることが可能である。
【００８９】
上記実施例１及び２では、ボディ１００ａ、１００ｂ、４００ａ、４００ｂが開閉可能にヒンジ結合されているとしたが、これに限定されるものではない。例えば、第１、第２ボディは、第１、第２導電部が固着された別体とし、第１、第２導電部が付勢手段に挟持されることにより、組み合わせられる構成とすることが可能である。また、第１、第２ボディは省略可能である。この場合、第１、第２導電部が開閉可能にヒンジ結合されるように設計変更することが可能である。勿論、第１、第２導電部を別体のままとし、付勢手段の挟持により組み合わせられる構成とすることも可能である。
【００９０】
上記実施例１及び２では、ボディ１００ａ、１００ｂ、４００ａ、４００ｂに収容凹部１１１ａ、１１１ｂ、４１１ａ、４１１ｂが設けられているとしたが、これに限定されるものではない。上述したように第１、第２ボディを介して付勢手段が第１、第２導電部を間接的に挟持する構成である場合には、収容凹部は不要である。また、上記実施例１及び２では、収容凹部１１１ａ、１１１ｂ、４１１ａ、４１１ｂにクリップバネ３００全体が収容されるとしたが、収容凹部はクリップバネ等の付勢手段を部分的に収容する形状とすることも可能である。
【００９１】
上記実施例１及び２では、ボディ１００ａ、４００ａのヒンジ凸部１２０ａ、４２０ａには、ヒンジ孔１２１ａ、４２１ａ及び挿入孔１２２ａ、４２２ａが設けられているとしたが、少なくともヒンジ孔が設けられていれば良い。ケーブルＣが接続部に別の箇所から接続される場合には、ヒンジ孔を省略することができる。また、上記実施例１及び２では、ボディ１００ｂ、４００ｂのヒンジ凸部１２０ｂ、４２０ｂには、当該ヒンジ凸部１２０ｂ、４２０ｂ及びヒンジ軸１２１ｂ、４２１ｂを幅方向Ｄ２に貫通する挿入孔１２２ｂ、４２２ｂが設けられているとしたが、これに限定されるものではない。ケーブルＣが接続部に別の箇所から接続される場合には、挿入孔を省略することができる。また、ヒンジ凸部１２０ａ、４２０ａにヒンジ軸を設け、ヒンジ凸部１２０ｂ、４２０ｂにヒンジ孔を設けることが可能である。なお、上述の通り、第１、第２ボディがヒンジ結合されない場合には、ヒンジ凸部、ヒンジ孔及びヒンジ軸は省略することができる。また、ヒンジ凸部、ヒンジ孔及びヒンジ軸を第１、第２導電部に設け、当該第１、第２導電部を上述の如くヒンジ結合することも可能である。
【００９２】
上記実施例２では、第２係止手段は、ヒンジ凸部４２０ａの前側に設けられた係止部４３０ａと、係止部４３０ａの外面に設けられた係止爪４３１ａと、ヒンジ凸部４２０ｂの前側に設けられた係止部４３０ｂと、係止部４３０ｂに設けられた係止孔４３１ｂとを有するとしたが、第１、第２導電部が導電体を挟持した状態で、前記第１ボディを前記第２ボディに係止させ得る限り任意に設計変更することが可能である。例えば、第２係止手段は、前記第２係止手段は、前記第１、第２ボディの何れか一方に設けられた係止爪と、他方に設けられ且つ前記第１、第２導電部が前記導電体を挟持した状態で、前記係止爪を係止する係止孔又は係止凹部とを有する構成とすることが可能である。
【００９３】
なお、上記実施例１及び２では、本コネクタの各部を構成する素材、形状、寸法、数及び配置等はその一例を説明したものであって、同様の機能を実現し得る限り任意に設計変更することが可能である。また、上記実施例１及び２では、フレキシブルな導電体として、導電布を例に挙げて説明したが、導電シートやロケーティングテープ等とすることも可能である。
【符号の説明】
【００９４】
１００ａ・・・・ボディ（第１ボディ）
１１０ａ・・・ブロック
１１１ａ・・収容凹部（第１収容凹部）
１２０ａ・・・ヒンジ凸部
１２１ａ・・ヒンジ孔
１２２ａ・・挿入孔
１００ｂ・・・・ボディ（第２ボディ）
１１０ｂ・・・ブロック
１１１ｂ・・収容凹部（第１収容凹部）
１２０ｂ・・・ヒンジ凸部
１２１ｂ・・ヒンジ軸
１２２ｂ・・挿入孔
２００ａ・・・・導電部（第１導電部）
２１０ａ・・・メインプレート
２１１ａ・・第１面（第１導電部の第１面）
２１２ａ・・第２面（第１導電部の第２面）
２１３ａ・・突起
２１４ａ・・係止孔
２２０ａ・・・サイド係止片
２３０ａ・・・前側プレート
２４０ａ・・・段差部（係止手段の第１段差部）
２４１ａ１・突片（係止手段の第１突部）
２５０ａ・・・接続部
２６０ａ・・・保持部
２００ｂ・・・・導電部（第２導電部）
２１０ｂ・・・メインプレート
２１１ｂ・・第１面（第２導電部の第１面）
２１２ｂ・・第２面（第２導電部の第２面）
２１３ｂ・・突起
２２０ｂ・・・前側プレート
２３０ｂ・・・サイドプレート
２３１ｂ・・係止突部
２４０ｂ・・・段差部（係止手段の第２段差部）
２４１ｂ１・突片（係止手段の第２突部）
２５０ｂ・・・サイド係止片
３００・・・・・クリップバネ（付勢手段のクランプ部）
３１０・・・・第１アーム
３１１・・・孔部（（係止手段の第１孔部）
３２０・・・・第２アーム
３２１・・・孔部（（係止手段の第２孔部）
４００ａ・・・・ボディ（第１ボディ）
４１０ａ・・・ブロック
４１１ａ・・収容凹部（第１収容凹部）
４２０ａ・・・ヒンジ凸部
４２１ａ・・ヒンジ孔
４２２ａ・・挿入孔
４３０ａ・・・係止部（第２係止手段）
４３１ａ・・係止爪
４００ｂ・・・・ボディ（第２ボディ）
４１０ｂ・・・ブロック
４１１ｂ・・収容凹部（第１収容凹部）
４２０ｂ・・・ヒンジ凸部
４２１ｂ・・ヒンジ軸
４２２ｂ・・挿入孔
４３０ｂ・・・係止部（第２係止手段）
４３１ｂ・・係止孔
５００ａ・・・・導電部（第１導電部）
５１０ａ・・・メインプレート
５１１ａ・・第１面（第１導電部の第１面）
５１２ａ・・第２面（第１導電部の第２面）
５１３ａ・・突起
５１４ａ・・係止孔
５２０ａ・・・サイド係止片
５３０ａ・・・前側係止片
５４０ａ・・・段差部（係止手段の第１段差部）
５４１ａ１・突片（係止手段の第１突部）
５５０ａ・・・接続部
５６０ａ・・・保持部
５００ｂ・・・・導電部（第２導電部）
５１０ｂ・・・メインプレート
５１１ｂ・・第１面（第２導電部の第１面）
５１２ｂ・・第２面（第２導電部の第２面）
５１３ｂ・・突起
５２０ｂ・・・前側係止片
５３０ｂ・・・サイドプレート
５３１ｂ・・係止突部
５４０ｂ・・・段差部（係止手段の第２段差部）
５４１ｂ１・突片（係止手段の第２突部）
６００・・・・・クリップバネ（付勢手段のクランプ部）
６１０・・・・第１アーム
６１１・・・孔部（（係止手段の第１孔部）
６２０・・・・第２アーム
６２１・・・孔部（（係止手段の第２孔部）
【図１Ａ】
0005581242.tif 000002
【図１Ｂ】
0005581242.tif 000003
【図１Ｃ】
0005581242.tif 000004
【図１Ｄ】
0005581242.tif 000005
【図１Ｅ】
0005581242.tif 000006
【図２Ａ】
0005581242.tif 000007
【図２Ｂ】
0005581242.tif 000008
【図３Ａ】
0005581242.tif 000009
【図３Ｂ】
0005581242.tif 000010
【図４】
0005581242.tif 000011
【図５Ａ】
0005581242.tif 000012
【図５Ｂ】
0005581242.tif 000013
【図６Ａ】
0005581242.tif 000014
【図６Ｂ】
0005581242.tif 000015
【図７Ａ】
0005581242.tif 000016
【図７Ｂ】
0005581242.tif 000017
【図８Ａ】
0005581242.tif 000018
【図８Ｂ】
0005581242.tif 000019
【図９Ａ】
0005581242.tif 000020
【図９Ｂ】
0005581242.tif 000021
【図１０Ａ】
0005581242.tif 000022
【図１０Ｂ】
0005581242.tif 000023
【図１１Ａ】
0005581242.tif 000024
【図１１Ｂ】
0005581242.tif 000025